(57)【要約】  バルーン（２２）と捕捉バルーン・カテーテル内に長手方向に延在する膨張ルーメン（２４）を画定する捕捉カテーテル本体（２３）とを備えるガイド・カテーテル組立体（３）に挿入される、捕捉カテーテル並びに捕捉カテーテルを準備するためのキット及び方法。膨張ルーメンは、バルーンによって画定される内部空間内へと開いている遠位端（２５）を有する。捕捉カテーテル本体には、ガイド・カテーテル組立体の近位端にある当接部（２７）に当接してガイド・カテーテルへの捕捉カテーテルの最大挿入深さを決定する、ストッパ（２６）が設けられる。ガイド・カテーテルへの挿入前に捕捉カテーテルを準備するためのキット及び方法についても記載される。
2019529035.tif 000002
【特許請求の範囲】
【請求項１】
ガイド・カテーテルと前記ガイド・カテーテルの近位端に装着された弁継手とを備えるガイド・カテーテル組立体に挿入される、捕捉カテーテルであって、
前記捕捉カテーテルは、バルーンと、前記捕捉カテーテル内に長手方向に延在する膨張ルーメンを画定する捕捉カテーテル本体と、を備え、
前記膨張ルーメンは前記バルーンによって画定される内部空間内へと開いている遠位端を有し、
前記捕捉カテーテル本体には、前記ガイド・カテーテル組立体の近位端にある当接部に当接して前記ガイド・カテーテル組立体への前記捕捉カテーテルの最大挿入深さを決定するストッパが設けられる、捕捉カテーテル。
【請求項２】
請求項１に記載の捕捉カテーテルにおいて、
前記ストッパは、前記捕捉カテーテル本体の半径方向の一方側への方が、前記捕捉カテーテル本体の反対側へよりも大きく突出している、捕捉カテーテル。
【請求項３】
請求項２に記載の捕捉カテーテルにおいて、
前記ストッパは、前記捕捉カテーテル本体の半径方向の一方側にのみ突出している、捕捉カテーテル。
【請求項４】
請求項３に記載の捕捉カテーテルにおいて、
前記ストッパは前記捕捉カテーテル本体の湾曲した区域を含む、捕捉カテーテル。
【請求項５】
請求項４に記載の捕捉カテーテルにおいて、
前記湾曲した部分は５ｍｍ未満の半径を有する、捕捉カテーテル。
【請求項６】
請求項５に記載の捕捉カテーテルにおいて、
前記湾曲した部分は、少なくとも４５°の偏向角度で湾曲される、捕捉カテーテル。
【請求項７】
請求項１から６のいずれか一項に記載の捕捉カテーテルにおいて、
前記ストッパは、前記ガイド・カテーテル組立体の前記近位端にある前記当接部の一部の背後に掛止されるフックを備える、記載の捕捉カテーテル。
【請求項８】
請求項１から７のいずれか一項に記載の捕捉カテーテルにおいて、
前記ストッパは、前記捕捉カテーテルの挿入深さを、最大で９８〜１０３ｃｍに、又は最大で１０８〜１１３ｃｍに制限するように位置決めされる、捕捉カテーテル。
【請求項９】
請求項１から８のいずれか一項に記載の捕捉カテーテルにおいて、
前記バルーンは、拡張した状態にあるときに２〜３ｍｍの直径を有する、捕捉カテーテル。
【請求項１０】
請求項１から９のいずれか一項に記載の捕捉カテーテルにおいて、
前記バルーンは１５〜３０ｍｍの長さを有する、捕捉カテーテル。
【請求項１１】
請求項４〜６のいずれか一項に記載の捕捉カテーテルを準備するためのキットであって、
ガイド・カテーテルと前記ガイド・カテーテルの近位端に装着された弁継手とを備えるガイド・カテーテル組立体に挿入される、捕捉カテーテルを備え、
前記捕捉カテーテルは、バルーンと、前記捕捉バルーン・カテーテル内に長手方向に延在する膨張ルーメンを画定する捕捉カテーテル本体と、を備え、
前記膨張ルーメンは前記バルーンによって画定される内部空間内へと開いている遠位端を有し、
前記捕捉カテーテル本体にはシースが取り外し可能に装着されており、前記シースは、前記捕捉カテーテル本体のある区域を、前記シースの端部に隣接させて又は前記シースの強度を低くした区域若しくは中断部において曲げることによって、前記湾曲した部分を形成するように位置決めされている、キット。
【請求項１２】
請求項１１に記載のキットにおいて、
前記シースを少なくとも２つ備え、各々のシースは、前記捕捉カテーテル本体のある区域を、前記捕捉カテーテルの遠位端から異なる所定の距離のところで曲げるように位置決めされる、キット。
【請求項１３】
ガイド・カテーテル及び前記ガイド・カテーテルの近位端に装着された弁継手を備えるガイド・カテーテル組立体と、請求項１から１２のいずれか一項に記載の捕捉カテーテルと、を備えるシステムであって、
前記ストッパは、最大限に挿入された状態で、前記捕捉カテーテルの遠位端が前記ガイド・カテーテル内の前記ガイド・カテーテルの遠位端から５０ｍｍ未満のところに配置されるように、前記捕捉カテーテルの前記挿入深さを制限するように位置決めされる、システム。
【請求項１４】
ガイド・カテーテルと前記ガイド・カテーテルの近位端に装着された弁継手とを備えるガイド・カテーテル組立体への挿入前に、捕捉カテーテルを準備するための方法であって、
前記ガイド・カテーテル組立体は、前記ガイド・カテーテルの中心線に沿って測定される長さを有し、前記捕捉カテーテルは、バルーンと、前記捕捉バルーン・カテーテル内に長手方向に延在する膨張ルーメンを画定する捕捉カテーテル本体と、を備え、
前記膨張ルーメンは、前記バルーンによって画定される内部空間内へと開いている遠位端を有し、
前記方法は、前記捕捉カテーテル本体に、前記ガイド・カテーテル組立体の近位端にある当接部に当接して、最大限に挿入された状態で前記捕捉カテーテルの遠位端が前記ガイド・カテーテル内の前記ガイド・カテーテルの遠位端から５０ｍｍ未満のところに配置されるように前記捕捉カテーテルの最大挿入深さを決定する、ストッパを設けることを更に含む、方法。
【請求項１５】
請求項１４に記載の方法において、
前記捕捉カテーテル本体に前記ストッパを設けることは、前記捕捉カテーテル本体のある区域を曲げることを含む、方法。
【発明の詳細な説明】
【技術分野】
【０００１】
本発明は、ガイドワイヤなどの細長いデバイスをガイド・カテーテル内のある位置に維持するための捕捉カテーテルに、かかる捕捉カテーテルを準備するためのキットに、及びガイド・カテーテルへの挿入前に捕捉カテーテルを準備するための方法に関する。
【背景技術】
【０００２】
血管形成術で使用されるほとんどの拡張カテーテルは、その遠位端に膨張可能なバルーンを有する。カテーテルの進行に追随するためにＸ線透視撮影法を使用しながら、処置すべき狭窄部を横断してバルーンが位置決めされるまで、カテーテルを血管系の中で前進させる。次いでバルーンをバルーンと連通する膨張ルーメンを介して膨張させる。バルーンの膨張により動脈が伸展し、病変部が動脈壁に押し込まれて、動脈を通る血流が容認できる程度まで回復する。処置される病変部を支持するために、同時にステントを拡張させてもよい。
【０００３】
拡張カテーテルは通常、処置されるべき病変部まで又はこれを通って延在する位置まで前もって案内されている、ガイドワイヤに沿って前進される。ガイドワイヤの遠位端を狭窄部まで案内して狭窄部を横断させるのを容易にするために、ガイドワイヤの所定の領域に剛性を付与するためのガイドワイヤ支持カテーテルをガイドワイヤ上に前進させてもよい。使用される拡張カテーテルは、その全長にわたるガイドワイヤ・ルーメンを有する「オーバー・ザ・ワイヤ」カテーテル、又は遠位端の近くにのみガイドワイヤ・ルーメンを有する「迅速交換」カテーテルである。かかる機器の使用には、カテーテルを異なる目的のために異なるカテーテルと交換すること、例えば、ガイドワイヤ支持カテーテルを拡張カテーテルと交換すること、又は、拡張カテーテルを、例えばサイズの異なるバルーンを有する、別の拡張カテーテルと交換することが含まれる。
【０００４】
したがって、多くの場合、カテーテルを異なるカテーテルに交換している間、ガイドワイヤを、閉塞部に対して固定されているワイヤ位置にガイドワイヤの遠位端が留まるように位置決めされた状態に維持することが望ましい。
【０００５】
欧州特許出願第０  ４１５  ３３２号には、操作者が（ガイド）ワイヤ上で機器を安全かつ迅速に取り外す又は交換することを可能にする捕捉バルーンの使用について記載されている。これにより、カテーテルの交換中、ガイドワイヤが遠位で意図せず移動することが防止される。狭窄部を横断するように設計されたガイドワイヤは通常、比較的剛性が高く、したがって、患者の血管を容易に穿孔するか又は損傷する可能性がある。遠位端の位置を維持することにより、遠位端が誤って引き戻されて、再度閉塞部へと案内する及び／又はこれを通過させる必要が生じることがないこともまた、保証される。
【０００６】
捕捉は、最初にガイドワイヤ上のオーバー・ザ・ワイヤ・デバイスを数センチメートル引き込んでガイド・カテーテル内へと戻すことによって実現される。遠位端にバルーンを有する捕捉カテーテルが、そのバルーンがガイド・カテーテルの遠位端に又はその近くに、かつ途中まで引き込まれた機器を越えて遠位にあるような状態で、ガイド・カテーテル内に配置される。
【０００７】
バルーンはガイド・カテーテルの端部から外に前進させないのが好ましいが、その理由は、このことには近位の冠動脈に外傷を与える深刻なリスクが伴うからである。しかしながら、バルーン・カテーテルを可視化することは困難である可能性があり、これには更なる画像化と注意とが必要とされる。バルーンは、ガイド・カテーテルの遠位端に直接隣接しているか又はその近くであって、かつ途中まで引き戻された機器から遠位の、要求された位置に入ると、膨張される。バルーンを膨張させることにより、ガイドワイヤがガイド・カテーテルの内側表面に対して押さえ付けられ、ガイド・カテーテルの長手方向におけるその位置が固定されて、操作者は、軸方向において固定された位置にガイドワイヤの遠位端を維持することに特別な注意を払う必要なく、途中まで引き戻された機器を更に取り外すことが可能になる。ガイドワイヤ上で次に使用されることになる機器を挿入する及び前進させるときにも、捕捉バルーンは膨張させたままとされ、この結果、新たに挿入されるデバイスを、これがバルーンに当接するまで、ガイド・カテーテルを通るその前進を監視するためにＸ線透視撮影法に戻ることなく、迅速に前進させることができる。次いで捕捉バルーンが収縮され、新たに挿入されるデバイスを、ガイド・カテーテルの遠位端の近くの既知の位置を起点として、冠動脈内の所望の位置まで更に前進させることができる。
【発明の概要】
【発明が解決しようとする課題】
【０００８】
本発明の目的は、ガイド・カテーテルの内側にある捕捉カテーテルのバルーンの、より迅速かつ容易な、正確な位置決めを可能にする解決法を提供することである。
【課題を解決するための手段】
【０００９】
本発明によれば、この目的は、請求項１に記載の捕捉カテーテルを提供することによって達成される。本発明はまた、請求項１に記載のキットにおいて、請求項１３に記載のシステムにおいて、及び請求項１４に記載の方法において、具現化され得る。
【００１０】
捕捉カテーテル本体には、ガイド・カテーテル組立体の近位端にある当接部、例えばガイド・カテーテル組立体の近位端の固定された位置にあるＹコネクタ又は他の継手の近位端に対して当接してガイド・カテーテルへの捕捉カテーテルの最大挿入深さを決定する、ストッパが設けられるので、操作者は、ストッパが当接部に対して当接するまで、ガイド・カテーテルに捕捉カテーテルを迅速に挿入することができ、このとき、捕捉カテーテルの遠位端がガイド・カテーテルの内側にあり、かつガイド・カテーテルの遠位端に直接隣接しているか又はこれの少なくとも近くにあることが、保証されている。
【００１１】
従属請求項には、本発明の特定の詳細及び実施形態が記載されている。
【００１２】
詳細な説明及び図面から、本発明の更なる特徴、効果、及び詳細が明らかになる。
【図面の簡単な説明】
【００１３】
【図１】本発明に係る捕捉カテーテル及びカテーテル・システムの第１の例の概略断面図である。
【図２】図１に示す捕捉カテーテル及びカテーテル・システムの近位部分の、拡大概略断面図である。
【図３】本発明に係る捕捉カテーテル及びカテーテル・システムの第２の例の、図２に応じた図である。
【図４】本発明の第３の例に係る捕捉カテーテルのある区域の概略断面図である。
【図５】図４の平面Ｖ−Ｖに沿った概略断面図である。
【図６】ストッパを形成する湾曲した区域を含む、図４及び図５に係る捕捉カテーテルのある区域の概略断面図である。
【発明を実施するための形態】
【００１４】
本発明についてまず、図１及び図２に示す第１の例を参照して説明する。図１には、血管系１及び本発明に係るカテーテル・システム２の第１の例が示されている。ガイド・カテーテル・システム２は、ガイド・カテーテル９と、ガイド・カテーテル９の近位端に装着された弁継手１５と、捕捉カテーテル１０と、を備える、ガイド・カテーテル組立体３を含む。ガイド・カテーテル９は、例えば大腿動脈（図示せず）を介して、血管系１に挿入されている。図１に示す血管系１の遠位部分は、下行大動脈４と、大動脈弓５と、上行大動脈６と、を含む。上行大動脈６から冠動脈７が延びている。冠動脈７に狭窄部８が形成されている。
【００１５】
更に、ガイド・カテーテル９の内側には、ガイドワイヤ１１及びガイドワイヤ支持カテーテル１２が延在する。図面において区別し易いように、捕捉カテーテル１０には点模様でマーキングしてある。ガイドワイヤ支持カテーテル１２は、ガイドワイヤ１１上を通されている。この例では、弁継手１５は、止血弁を有するＹコネクタである。
【００１６】
使用時、ガイド・カテーテル９は、大腿動脈（図示せず）において血管系１に挿入され、ガイド・カテーテル９の遠位端１７が冠動脈７の口部１８内へと突出する位置に到達するまで前進される。次いで、ガイドワイヤ１１及びガイドワイヤ１１上に配置されたガイドワイヤ支持カテーテル１２が、ガイド・カテーテル９に挿入される。別法として、ガイドワイヤ１１を最初に挿入し、その後、ガイドワイヤ支持カテーテル１２をガイドワイヤ１１上に通してもよい。次いで、ガイドワイヤ１１とガイドワイヤ支持カテーテル１２を組み合わせて、両方がガイド・カテーテル２の遠位端１７から外に延びるまで前進させる。次いでガイドワイヤ１１の先端部は狭窄部８へと案内され、狭窄部８を横切る。ガイドワイヤ１１の及びガイドワイヤ支持カテーテル１２の前進は、可撓性又は剛性が要求されるとき必要に応じて交互に行ってもよい。
【００１７】
捕捉カテーテル１０は、捕捉カテーテル本体２３と、その遠位端２１に隣接するバルーン２２と、捕捉カテーテル本体２３によって画定される膨張ルーメン２４と、を有する。膨張ルーメン２４は、バルーン２２によって画定される内部空間内へと開いている遠位端２５を有する。図１では、捕捉カテーテル１０が、大腿動脈（図示せず）にあるガイド・カテーテル９に挿入された位置に示されており、遠位端２１が、最大限でガイド・カテーテル９の遠位端１７と面一になるまで、前進されている。公差を許容するために、捕捉カテーテル１０の遠位端２１は好ましくは、ガイド・カテーテル９の遠位端２１よりも僅かに近位の位置を越えては前進されない。ガイドワイヤ１１は、ガイド・カテーテル９から外に突出しているガイドワイヤ１１の近位部分を係合することによって、長手方向に関して位置決めされた状態に保持され、この結果、狭窄部８に対するガイドワイヤ１１の遠位端２０の位置が維持される。交換されることになるガイドワイヤ支持カテーテル１２が、その遠位端１９が捕捉カテーテル１０のバルーン２２の近位に来るまで引き戻された位置に示されている。
【００１８】
カテーテル９、１０、１２、及びガイドワイヤ１１が互いに長手方向においてこのような位置にある状態で、捕捉カテーテル１０の捕捉カテーテル本体２３を通って延在するルーメン２４を介して捕捉カテーテル１０のバルーン２２を膨張させて、これによりバルーン２２がガイドワイヤ１１をガイド・カテーテル９の内壁表面に対して押さえ付けるようにし、このことにより、ガイドワイヤ１１を、ガイド・カテーテル９に対して及び狭窄部８に対して固定する。
【００１９】
捕捉カテーテル１０のバルーン２２の膨張によってガイドワイヤ１１がガイド・カテーテル９に対して固定されてしまえば、ガイドワイヤ１１の近位端を解放することができ、拡張カテーテル１２をガイド・カテーテル９から引き抜き、ガイドワイヤ１１の近位端から引き離すことができる。ガイドワイヤ１１はガイド・カテーテル９に対して固定されているので、ガイドワイヤ１１から離れるように拡張カテーテル１２を操作する際に、ガイドワイヤ１１の遠位端２０が移動するリスクはほとんどない。
【００２０】
次に、拡張カテーテルなどの別の機器をガイドワイヤ１１の近位端上に設置し、ガイドワイヤ１１上を通して、その遠位端１９が捕捉カテーテル１０のバルーン２２に対して当接するまで、ガイド・カテーテル９内を通過させてもよい。次いで、ガイドワイヤ１１の近位端は、その近位端を介してその位置を制御するために再び係合され、捕捉カテーテル１０のバルーン２２が収縮され、このことにより、捕捉カテーテル１０のバルーン２２とガイド・カテーテル９の内側表面との間に挟持されていた場所において、ガイドワイヤ１１が解放される。次いで、新たに挿入された拡張カテーテル１２は、捕捉カテーテル１０のバルーン２２の近位端の位置によって決定される正確に定められた位置を起点として、ガイドワイヤ１１に沿って短い距離を、狭窄部８に向かって遠位に移動される。新たに挿入されたカテーテルの遠位端が、ガイド・カテーテル９の遠位端１７の近くの、したがって狭窄部８の近くの、正確に定められた位置から前進するので、狭窄部８内での拡張カテーテル１２のバルーンの位置決めを、非常に迅速に行うことができる。拡張カテーテルのバルーンが狭窄部８を横断する方向に位置決めされた後で、拡張カテーテルのバルーンを膨張させることによって、狭窄部８を拡張させることができる。
【００２１】
カテーテル交換中、ガイド・カテーテル９に対して及び狭窄部８に対して、ガイドワイヤ１１のその長手方向における位置が、特に注意を払ってガイドワイヤを手で保持する必要なく、確実に維持される。新しいカテーテルを、ガイド・カテーテル９の遠位端の近くの所定の場所に、非常に迅速に挿入することができる。したがってまた、ガイドワイヤ１１が捕捉カテーテルの膨張したバルーン２２によって不動に保持され、このためその位置を絶えず監視する必要がないので、Ｘ線透視撮影法への暴露も限定される。
【００２２】
捕捉カテーテル１０の捕捉カテーテル本体２３には、ガイド・カテーテル組立体３の近位端２７にある当接部２７に対して当接してガイド・カテーテル９への捕捉カテーテル１０の最大挿入深さを決定する、ストッパ２６が設けられる。この例では、当接部は、ガイド・カテーテル９の近位端において、止血弁を有するＹコネクタ１５の近位端２７によって形成されている。こうして、ガイド・カテーテル９内の捕捉カテーテル１０の遠位端２１の位置が事前に非常に正確に決定され、この位置は、ストッパ２６が当接部２７に当たるまで、捕捉カテーテル１０を、可能な限り遠くまでガイド・カテーテル組立体３に挿入することによって、捕捉カテーテル１０の前進中に特に注意を払う必要なく到達される。この例では、ストッパ２６は、ガイド・カテーテル組立体３のＹコネクタ１５へと押さえ付けられている。
【００２３】
好ましくは、ある長さのガイド・カテーテル９において使用される捕捉カテーテル１０の最大挿入深さは、最大限に挿入された状態で、捕捉カテーテル１０の遠位端２１が、ガイド・カテーテル９内の、ガイド・カテーテル９の遠位端１７から５０ｍｍ未満、又は（より好ましくなる順番で）４０、３０、２０、若しくは１０ｍｍ未満のところに位置付けられるような深さである。
【００２４】
こうして、捕捉カテーテル本体２３に、ガイド・カテーテル組立体３の近位端にある当接部２７に対して当接して捕捉カテーテル１０の最大挿入深さを決定する、ストッパ２６が設けられることによって、捕捉カテーテル１０の遠位端２１の正確かつ迅速な位置決めが実現され、この結果、最大限に挿入された状態で、捕捉カテーテル１０の遠位端は、ガイド・カテーテル９内の、ガイド・カテーテル９の遠位端１７から５０ｍｍ未満（又は４０、３０、２０、若しくは１０ｍｍ未満）のところに位置付けられる。
【００２５】
ストッパ２６は、ガイド・カテーテル組立体３の弁継手１５の一部２９の背後に掛止されるフック２８を有し、このことにより、捕捉カテーテル１０が、例えばそのバルーン２２が膨張する直前に、意図せず引き戻されるリスクも低減される。
【００２６】
実際には、ガイド・カテーテルは主として、バルーン先端部からガイド・カテーテルの近位端まで９０及び１００ｃｍの長さで提供される。ガイド・カテーテル９の近位端では、Ｙコネクタ、止血弁、又は他の弁継手１５により、ガイド・カテーテル組立体３を通る通路の全長が長くなる。そのような標準的な長さのガイド・カテーテル９内で捕捉バルーンが遠位端の近くに位置決めされたときに前進を止めるために、ストッパ２６は好ましくは、捕捉カテーテル１０の（遠位端からストッパまで測定される）挿入深さを、最大９８〜１０３ｃｍに又は最大１０８〜１１３ｃｍに、より好ましくは最大１０１〜１０３ｃｍ又は最大１１１〜１１３ｃｍに制限するように、位置決めされる。
【００２７】
ガイド・カテーテル９のルーメンの断面積をほとんど占有することなく効果的かつ確実な押さえ付け効果をもたらすために、捕捉カテーテル１０のバルーン２２は好ましくは、拡張した状態にあるときに２〜３ｍｍ以下の直径を有する。
【００２８】
ガイド・カテーテルのルーメンの小さい区域のみしか占有せずに拡張した状態にあるときに効果的かつ確実な押さえ付け効果をもたらすために、捕捉カテーテル１０のバルーン２２は好ましくは、１５〜３５ｍｍの長さを有する。
【００２９】
この例では、ストッパ２６は、捕捉カテーテル本体２３の半径方向の一方側への方が、捕捉カテーテル本体２３の反対側へよりも大きく突出している。この結果、弁継手１５の近位入口領域の妨害が、小さい領域に限定される。
【００３０】
この特徴は、図３に示す例におけるように、ストッパ７６が、捕捉カテーテル６０の捕捉カテーテル本体７３の半径方向の一方側にのみ突出している場合に、特に効果的である。
【００３１】
この例では、ストッパ７６が捕捉カテーテル６０の捕捉カテーテル本体７３の湾曲した区域７７を含むように提供することによって、捕捉カテーテル１０の捕捉カテーテル本体７３の半径方向の一方側に突出しているストッパ７６のみを、特に単純な様式で得られる。
【００３２】
正確に決定された位置で確実に当接するように、湾曲した部分７７は、好ましくは５ｍｍ未満の、より好ましくは３若しくは４ｍｍ未満の半径を有し、かつ／又は、湾曲した部分７７は、少なくとも３０°、より好ましくは少なくとも４５°の偏向角度で湾曲される。湾曲した部分がストッパを形成した後で、捕捉カテーテル本体は、他の方向に曲げられてもよく、例えば、湾曲した部分の他方側にある部分とほぼ平行な方向に曲げ戻されてもよい。
【００３３】
ストッパの位置をガイド・カテーテルの長さに従って設定できる場合、長さの異なるガイド・カテーテルと組み合わせて使用するのに、単一の型の捕捉カテーテルで十分である。
【００３４】
このことは、ガイド・カテーテル５９に挿入される捕捉カテーテル６０を含む、捕捉カテーテルを準備するためのキットであって、捕捉カテーテル６０はバルーンと捕捉カテーテル本体７３とを有し、捕捉カテーテル本体７３にはシース８０が取り外し可能に装着されている、キット、を提供することによって実現され得る。シース７３は、捕捉カテーテル本体７３のある区域を、シース８０の強度を低くした区域又は中断部において曲げることによって、湾曲した部分７７を形成するように位置決めされる。シースはまた、シース８０の端部に隣接して湾曲した部分７７が形成されるように位置決めされてもよい。こうして、湾曲した部分を、正しい位置に特に迅速かつ確実に作成することができる。シース８０は、湾曲されることになる区域に隣接する捕捉カテーテル本体７３の部分を包囲し、この結果、曲げられることになる部分に隣接する捕捉カテーテル本体７３の部分が、曲げが行われた後で大きく湾曲しないことが保証され、曲げられることになる部分は、更なる器具を必要とすることなく手で容易に曲げることができる。
【００３５】
この例では、管状部材８０がシースを形成しており、この管状部材８０には、管状部材８０と同軸の円形断面のチャネル８２の幅よりも僅かに小さい幅の、スロット８１が形成されている。スロット８１の幅は、捕捉カテーテル６０の捕捉カテーテル本体７３がチャネル８２内に保持されるが、捕捉カテーテル本体７３に対して及び管状部材８０に対して横断方向に、捕捉カテーテル本体７３から管状部材を取り外すことができるような幅である。
【００３６】
管状部材８０は、互いに反対側にある凹部８３、８４として形成された強度の低い部分を有する。これらの凹部のうちの第１の凹部８３は、向かい合う側壁の交点が捕捉カテーテル本体７３の中心線とほぼ一直線上にあるＶ字形状のものであり、凹部のうちの第２の凹部８４は、シース材料の伸展を容易にするために、Ｖ字形状の凹部のほぼ最大幅にわたって壁厚さが薄くなった形態となっている。
【００３７】
図６に示すように、シース８０のうちの１つを曲げ、Ｖ字形状の凹部の向かい合う壁を互いに対して曲げることによって、捕捉カテーテル６０の捕捉カテーテル本体７３にシース８０が事前に装着されている位置によって決定される所定の位置に、器具を必要とすることなく及び何らかの測定を行うか又は捕捉カテーテル６０の捕捉カテーテル本体７３の上に存在する小さいマークを参照する必要なく、湾曲した部分７７を手で容易に作成することができる。シース８０はまた、捕捉カテーテル本体７３を均等に支持し、この結果、捕捉カテーテル本体７３の内部のルーメン７４が潰れるリスクが低減される。ガイド・カテーテル９及び弁継手１５の内部断面積の小さい部分しか占有しないようにしながら、バルーンの確実かつ迅速な膨張及び収縮を可能にするために、捕捉カテーテル本体の内部のルーメン７４は、好ましくは０．４〜０．９ｍｍの、より好ましくは０．５〜０．８ｍｍの直径を有し、捕捉カテーテル本体７３は、好ましくは１．２ｍｍ未満、より好ましくは１．０ｍｍ未満の直径を有する。曲げ終わると、図６に示すような湾曲部７７が得られ、続いて、シース８０を捕捉カテーテル本体７３から脇へと取り外すと、図３に示すような、捕捉カテーテル本体７３の単なる急な湾曲部７７の形態のストッパが得られ、この結果、捕捉カテーテル６０が止血弁の入口の手前で占有する空間は、非常に小さくなる。
【００３８】
これらのシース８０のうちの２つは各々、捕捉カテーテル本体７３のある区域を、捕捉カテーテル６０の遠位端から異なる所定の距離のところで曲げるように位置決めされるので、ストッパ７６の位置は、シース８０のうちの、要求される最大挿入深さに従って選択される１つにわたって曲げを行うことによって、使用の直前に決定することができる。他方のシース８０は、曲げられることなくそのシース位置で捕捉カテーテル本体７３から単に取り外される。挿入深さはまた、捕捉カテーテルから取り外し可能であってもなくてもよい所定のマーキングのところで曲げることによって、適合されてもよい。このことによりまた、捕捉カテーテルの最大挿入深さを、弁継手によって追加される有効長さに適合させることも可能になる。
【００３９】
同じ又は別個の実施形態の一部として、いくつかの特徴について説明した。しかしながら、本発明の範囲が、実施例において具現化される特徴の特定の組み合わせ以外の、これらの特徴の全てまたは一部の組み合わせを有する実施形態もまた含むことが、了解されるであろう。
【図１】
2019529035.tif 000003
【図２】
2019529035.tif 000004
【図３】
2019529035.tif 000005
【図４】
2019529035.tif 000006
【図５】
2019529035.tif 000007
【図６】
2019529035.tif 000008
【国際調査報告】
2019529035.tif 000009
2019529035.tif 000010
2019529035.tif 000011